(57)【要約】      （修正有）【課題】コンクリート建造物上面に形成する縦孔の深さが異なる場合において、容易、かつ、安定した構造において使用できる縦孔形成用の有底筒体の保持装置を提供する。【解決手段】コンクリート建造物上面に縦孔を形成するべく型枠内に配置される有底筒体を保持するための有底筒体の保持装置１であり、周面が有底筒体の内周面に沿って位置するように、型枠内に垂直方向に配置される基体２と、基体２の下端側に取り外し可能に取り付けられ、周面が有底筒体の内周面に沿って位置するように、型枠内に垂直方向配置される補助体４とからなるもの。【選択図】図１
0003210786.tif 000002
【実用新案登録請求の範囲】
【請求項１】
コンクリート建造物上面に縦孔を形成するべく型枠内に配置される有底筒体を保持するための有底筒体の保持装置であり、
周面が前記有底筒体の内周面に沿って位置するように、前記型枠内に垂直方向に配置される基体と、
前記基体の下端側に取り外し可能に取り付けられ、周面が前記有底筒体の内周面に沿って位置するように、前記型枠内に垂直方向配置される補助体と、
からなることを特徴とする有底筒体の保持装置。
【請求項２】
前記補助体が筒形態である請求項１記載の有底筒体の保持装置。
【請求項３】
前記基体がその平面位置における大きさを前記有底筒体の大きさに対応して可変とされ、前記補助体として前記有底筒体の大きさに対応して大きさの異なるものが選択使用される請求項１または２記載の有底筒体の保持装置。
【請求項４】
前記基体と前記補助体との間に、長さ補充体が介装される請求項１記載の有底筒体の保持装置。
【考案の詳細な説明】
【技術分野】
【０００１】  この考案は、橋脚等のコンクリート建造物の上面に縦孔を形成する際に使用する有底筒体の保持装置に関する。
【背景技術】
【０００２】  高速道路の橋脚をコンクリートにより建造する場合、その上面には橋桁を固定するアンカー等を植設するための縦孔を形成する。この縦孔は有底筒体がコンクリートに埋設されて形成され、その有底筒体の型枠内への配置構造が特開２０１３−３６３０９号に開示されている。
【考案の概要】
【考案が解決しようとする課題】
【０００３】  この考案では、縦孔の深さが異なる場合において、容易、かつ、安定した構造において使用できる有底筒体の保持装置を提供することを目的とする。
【課題を解決するための手段】
【０００４】  この考案では、コンクリート建造物上面に縦孔を形成するべく型枠内に配置される有底筒体を保持するための有底筒体の保持装置であり、周面が前記有底筒体の内周面に沿って位置するように、前記型枠内に垂直方向に配置される基体と、前記基体の下端側に取り外し可能に取り付けられ、周面が前記有底筒体の内周面に沿って位置するように、前記型枠内に垂直方向配置される補助体とからなることを特徴とする有底筒体の保持装置を提供する。【０００５】  この考案の有底筒体の保持装置は、基体のみ、基体に補助体を取り付けた状態の使用が可能となって、異なる長さの有底筒体に対応して使用できる。補助体を取り付けた状態においては、有底筒体は基体と補助体とによりその全体が支持されることで安定保持される。【０００６】  補助体が筒形態とされることで、安定した構造となり、かつ、その取り付けが容易になされる。【０００７】  基体がその平面位置における大きさを有底筒体の大きさに対応して可変とされ、補助体として有底筒体の大きさに対応して大きさの異なるものが選択使用されることで、平面大きさが異なる有底筒体に対しての使用可能となる。【０００８】  基体と補助体との間に、長さ補充体が介装される構成とされることで、より長い有底筒体への使用が可能となる。
【考案の効果】
【０００９】  この考案の有底筒体の保持装置によれば、橋脚等のコンクリート建造物の上面への深さの異なる縦孔の形成が、容易に、かつ、安定した構造により可能となり、これにより多種類の有底筒体の保持装置を用意しなくてすむことで、製造コストや保管スペースの面での問題も解消される。
【図面の簡単な説明】
【００１０】
【図１】  この考案の有底筒体の保持装置の外観斜視図
【図２】  図１におけるＡ−Ａ部分の断面構成図
【図３】  この考案の有底筒体の保持装置における基体の支持柱体へのガイド片の取り付け構成説明図
【図４】  この考案の有底筒体の保持装置における基体と長さ補充体と補助体との取り付け構成説明図
【図５】  この考案の有底筒体の保持装置における基体と長さ補充体と補助体との取り付け構成断面図
【図６】  この考案の有底筒体の保持装置の使用説明図
【考案を実施するための形態】
【００１１】  図１は有底筒体の保持装置の外観を示し、図２は図１のＡ−Ａ部における水平断面構成を示す。保持装置１は全体が金属構成で、基体２の下部に長さ補充体３が取り付けられ、さらに、その下部に補助体４が取り付けられて構成されている。
【００１２】  基体２は支持柱体６と３個のガイド片８とからなり、支持柱体６は上部の円板１０とその下面から延び出す３枚の縦長の支持プレート１２とからなり、ガイド片８は縦長の被支持プレート１４とその外端に沿って取り付けられた湾曲形状のガイド面部１６とから構成されている。
【００１３】  支持柱体６の円板１０には２個の取り付け孔１１が設けられ、支持プレート１２は上端が溶接固定されて円板１０に固定され、支持プレート１２のそれぞれはその間の角を１２０°とするように配置されており、その下端には方形の連結板１５が溶接固定されている。連結板１５には一対の取り付け孔３３が設けられるとともに、その間の両側下面には位置決めボス３１のそれぞれが突出形成され、上面の取り付け孔３３のそれぞれに対応する位置にはナット３４のそれぞれが固着されている（図４、図５参照）。
【００１４】  図３に示すように、支持柱体６の支持プレート１２のそれぞれには上、中、下の高さ位置に内側から外側に斜め方向に取り付け孔１７が３個づつ設けられ、これに対しガイド片８それぞれの被支持プレート１４のそれぞれにはその内端近傍の上、中、下の高さ位置に取り付け孔１９が１個づつ設けられている。支持柱体６へのガイド片８の取り付けは、支持プレート１２の内側から外側に位置する３個の取り付け孔１７において選択された取り付け孔１７に被支持プレート１４の取り付け孔１９が合されてボルト２０により固定される。支持プレート１２の被支持プレート１４と相対する側と逆側の面には、取り付け孔１７それぞれに対応する位置にナット２１のそれぞれが固着されている。この実施形態においては、支持プレート１２における最も内側の取り付け孔１７のそれぞれが使用されてガイド片８のそれぞれが取り付けられ、これにより基体２周面が形成する円形の直径寸法は、例えば、１７５ｍｍと最小とされている。
【００１５】  上記の支持柱体６へのガイド片８の取り付けは、支持プレート１２面に被支持プレート１４面が当接されて行われるので、取り付け孔１７と取り付け孔１９との位置合わせ、位置合わせした状態を保ちながらのボルト２０の装着が容易になされる。また、支持プレート１２と被支持プレート１４との面どうしの接合により強固な取り付け構造が実現され、これによりガイド片８が安定配置されることで、保持装置１の使用に際し有底筒体の内面のガイド片８による強固な支持が可能となる。
【００１６】  長さ補充体３は、図４、図５に示すように、上面板４０と下面板４１とが一対の連結部４３で連結固定されて構成され、上面板４１には、上記基体２の連結板１５の取り付け孔３３と位置決めボス３１とのそれぞれに対応する一対の取り付け孔４５と２個の位置決め穴４６とが設けられている。また、下面板４１には一対の取り付け孔４８が設けられるとともに、その間の両側下面には位置決めボス４７のそれぞれが突出形成されている。長さ補充体３は基体２の連結板１５の下面に、上面板４１の位置決めボス３１それぞれが位置決め穴４６それぞれに嵌合する状態において取り付け孔３３と取り付け孔４５とにおいてボルト２２により固定され取り付けられている。
【００１７】  補助体４は円筒部７８の上面開口に円形の上面板７０が固着されて形成され、上面板７０には一対の取り付け孔７１が設けられるとともに、その間の両側には位置決め穴７２のそれぞれが設けられ、取り付け孔７１それぞれの下面側にはナット７４が固着されている。補助体４は長さ補充体３の下面板４１の下面に、位置決めボス４７それぞれが位置決め穴７２それぞれに嵌合する状態において取り付け孔４８と取り付け孔７１とにおいてボルト７９により固定され取り付けられている。この実施形態においては、補助体４として円筒部７８の直径寸法が、例えば、１７５ｍｍと最小のものを使用している。
【００１８】  図６は上記保持装置１の使用状態を示す。保持装置１は型枠１００の上部に架け渡される枠材１０１から垂下される２本の取り付けボルト１０２に円板１０が固定されて型枠１００内に吊り下げ配置される。この保持装置１に下方から縦孔を形成するための有底筒体１１０が嵌め込まれて装着され、ガイド片８それぞれの上部周面に外嵌固定された固定具１０５から下方に延び出す固定端１０６部分において、固定ネジ１０７で有底筒体１１０面がガイド片８の上部周面に押し付け固定されることで有底筒体１１０は保持されている。
【００１９】  この状態において基体２のガイド片８のガイド面部１６のそれぞれと補助体４の円筒部７８との外周面のそれぞれが有底筒体１１０の内周面に当接状態となり、これにより有底筒体１１０はその全体が支持されることで型枠１００内に安定配置される。型枠１００内にコンクリートが充填固化された後に固定具１０５が外されることで保持装置１は上方に引き抜いて取り出され、有底筒体１１０はコンクリート内に残ってそこに縦孔が形成される。
【００２０】  以下、上記保持装置１の使用に際しての有底筒体１１０の大きさ変化への対応構成について説明する。上記実施形態の保持装置１は、支持プレート１２における最も内側の取り付け孔１７のそれぞれが使用されたことで基体２周面が形成する円形の直径寸法が小さくされ、これに対応して補助体４としても円筒部７８の直径寸法が小さいものを使用していて、細い径の有底筒体１１０に使用される。支持プレート１２の外側の取り付け孔１７を適宜選択使用し、これに対応して円筒部７８の直径寸法が大きい補助体４ａを適宜選択使用することで、太い径の有底筒体１１０への使用が行われる。また、上記実施形態の保持装置１は、基体２に長さ補充体３と補助体４とが取り付けられて長尺の有底筒体１１０に使用されるが、有底筒体１１０の長さに対応して、基体２のみにおいて、基体２に補助体４を直接取り付けることにより適宜短くして使用することができる。
【符号の説明】
【００２１】  １      有底筒体の保持装置
２      基体
３      長さ補充体
４      補助体
１１０  有底筒体
１００  型枠
【図１】
0003210786.tif 000003
【図２】
0003210786.tif 000004
【図３】
0003210786.tif 000005
【図４】
0003210786.tif 000006
【図５】
0003210786.tif 000007
【図６】
0003210786.tif 000008